(57)【要約】【課題】機械式駐車場における出庫に際して、利用者の待ち時間を大幅に短縮することができる機械式駐車場の出庫予約システムを提供する。【解決手段】走行台車と該走行台車の走行路と該走行路に沿って配置された複数の駐車室とを備えた駐車階が上下方向に複数階層設けられるとともに、各駐車階と車両の入出庫口を設けた入出庫階との間を昇降する入出庫リフトが設置され、前記入出庫口と前記入出庫リフトと前記走行台車と前記駐車室との間で順次車両を移載するようにした機械式駐車場において、前記駐車階ごとに前記出庫リフトの反走行路側に隣接して出庫予約車両の待機用駐車室を配設するとともに、任意の場所に設けられた出庫予約手段から伝送手段を介して前記機械式駐車場の制御装置に伝送された出庫予約信号により、当該出庫予約車両を格納されていた駐車室から前記待機用駐車室へ移載することを特徴とする機械式駐車場の出庫予約システムである。【選択図】          図１
2004360418.tif 000002
【特許請求の範囲】
【請求項１】
走行台車と該走行台車の走行路と該走行路に沿って配置された複数の駐車室とを備えた駐車階が上下方向に複数階層設けられるとともに、各駐車階と車両の入出庫口を設けた入出庫階との間を昇降する入出庫リフトが設置され、前記入出庫口と前記入出庫リフトと前記走行台車と前記駐車室との間で順次車両を移載するようにした機械式駐車場において、前記駐車階ごとに前記出庫リフトの反走行路側に隣接して出庫予約車両の待機用駐車室を配設するとともに、任意の場所に設けられた出庫予約手段から伝送手段を介して前記機械式駐車場の制御装置に伝送された出庫予約信号により、当該出庫予約車両を、格納されていた駐車室から前記待機用駐車室へ移載することを特徴とする機械式駐車場の出庫予約システム。
【発明の詳細な説明】
【０００１】
【発明の属する技術分野】
本発明は、機械式駐車場における車両の出庫方法に関する。
【０００２】
【従来の技術】
機械式駐車場は、様々な形式のものが提案されているが、比較的大規模なものとしては、走行台車とこの走行台車の走行路とこの走行路に沿って配置された複数の駐車室とを備えた駐車階が上下方向に複数階層設けられるとともに、各駐車階と車両の入出庫口を設けた入出庫階との間を昇降する入出庫リフトが設置され、前記入出庫口と前記入出庫リフトと前記走行台車と前記駐車室との間で順次車両を移載するようにした機械式駐車場がある。このような機械式駐車場では、車両の出庫に際して、利用者が入出庫口に設置されている操作盤において所定の操作を行うことにより制御装置が起動し、当該車両がそれまで格納されていた駐車室から走行台車、出庫リフト、出庫口の順に移載、搬送されて出庫が行われる。
【０００３】
図２に示すように、上述のような大規模な機械式駐車場では、出庫させたい車両が出庫リフトから遠い駐車室に格納されていると、出庫時に移載、搬送される経路が長い分、利用者にとって待ち時間が長くかかることになる。
【０００４】
したがって、この点の改善を目指した提案がなされている（例えば、特許文献１、特許文献２参照。）。
【０００５】
【特許文献１】
特開平０７−１５８３０１号公報
【０００６】
【特許文献２】
特開平１１−３３６３５９号公報
【０００７】
【発明が解決しようとする課題】
前述のように、大規模な機械式駐車場において、出庫させたい車両が出庫口から遠い駐車室に格納されているような場合、出庫時に移載、搬送される経路が長い分、利用者にとって待ち時間が長くかかることになるが、前記の特許文献１および２等も、この点の改善について機械式駐車場の具体的な構成を示すには至っていない。
【０００８】
本発明は、上述のような問題点の解決を図ろうとするもので、機械式駐車場における出庫に際して、利用者の待ち時間を大幅に短縮することができる機械式駐車場の出庫予約システムを提供することを目的としている。
【０００９】
【課題を解決するための手段】
このような目的を達成するための本発明は、走行台車と該走行台車の走行路と該走行路に沿って配置された複数の駐車室とを備えた駐車階が上下方向に複数階層設けられるとともに、各駐車階と車両の入出庫口を設けた入出庫階との間を昇降する入出庫リフトが設置され、前記入出庫口と前記入出庫リフトと前記走行台車と前記駐車室との間で順次車両を移載するようにした機械式駐車場において、前記駐車階ごとに前記出庫リフトの反走行路側に隣接して出庫予約車両の待機用駐車室を配設するとともに、任意の場所に設けられた出庫予約手段から伝送手段を介して前記機械式駐車場の制御装置に伝送された出庫予約信号により、当該出庫予約車両を、格納されていた駐車室から前記待機用駐車室へ移載することを特徴とする機械式駐車場の出庫予約システムである。
【００１０】
上記の構成により、利用者は、機械式駐車場から離れた遠隔地からでも出庫予約を行うことができ、予め当該車両をそれまで格納されていた駐車室から出庫口に近い出庫リフト脇の待機用駐車室に移しておくことができる。したがって、利用者は、その後、機械式駐車場の出庫口に設置された操作盤で所定の操作を行うことにより、短時間で当該車両を出庫させることができる。
【００１１】
【発明の実施の形態】
以下、本発明の実施形態を図面に基づいて説明する。
【００１２】
図１は、本発明の一実施形態を示す平面図およびＡ−Ａ線に沿う横断面図である。
【００１３】
本実施形態の機械式駐車場では、走行台車３と、この走行台車３の直線状走行路４と、この走行路４に沿ってその両側にそれぞれ２列ずつ設けられた駐車室２とを備えた駐車階が２階層設けられており、各駐車階と車両の入出庫口７を設けた入出庫階との間を昇降する入庫リフト５および出庫リフト６が、走行路４に面して上下方向に設けられている。この入庫リフト５および出庫リフト６が設けられた位置は、それぞれリフトの専用スペースとなっており、したがってここには駐車室２が存在しない。
【００１４】
図１に示すように、本実施形態の機械式駐車場の出庫予約システムは、出庫予約車両の待機用駐車室１と、出庫予約手段２１と、伝送手段２２と、機械式駐車場の制御装置２３とから構成されている。
【００１５】
前記出庫予約車両の待機用駐車室１は、各駐車階ごとに、出庫リフト６の反走行路側に隣接して配設されている。
【００１６】
前記出庫予約手段２１は、出庫予約信号を発信するためのもので、専用装置であってもよいし、パソコンやホームセキュリティ装置に組み込んだものでもよい。この出庫予約手段２１は、機械式駐車場から離れたマンションの自室やオフィスビルのフロア等、任意の場所に設置可能である。
【００１７】
前記伝送手段２２は、出庫予約手段２１から機械式駐車場の制御装置２３に出庫予約信号を伝送する媒体であり、専用線、無線ないしはインターネット等、各種のものを用いることができる。
【００１８】
前記機械式駐車場の制御装置２３は、出庫予約手段２１から伝送手段２２を介して出庫予約信号を受信すると、出庫予約車両を、格納されていた駐車室２から待機用駐車室１へ予め移載する自動制御を行うとともに、操作盤２４を起動可能な状態とさせる。その後、利用者がこの操作盤２４を起動して所定の操作を行うと、待機用駐車室１から出庫口７への車両の移載を自動的に行う。
【００１９】
上述のように構成された本発明の機械式駐車場の出庫予約システムでは、任意の場所に設けられた出庫予約手段２１から伝送手段２２を介して機械式駐車場の制御装置２３に伝送された出庫予約信号により、当該出庫予約車両を、格納されていた駐車室２から待機用駐車室１へ予め移載しておくので、利用者は機械式駐車場の出庫口７に設置された操作盤２４で所定の操作を行うことにより、短時間で当該車両を出庫させることができる。
【００２０】
【発明の効果】
以上に述べた本発明によれば、任意の場所に設けられた出庫予約手段から伝送手段を介して機械式駐車場の制御装置に出庫予約信号を伝送し、出庫予約車両を、格納されていた駐車室から出庫リフトに隣接した待機用駐車室へ予め移載しておくので、利用者は機械式駐車場の出庫口に設置された操作盤で所定の操作を行うことにより、短時間で車両を出庫させることができる。
【図面の簡単な説明】
【図１】本発明の一実施形態を示す平面図およびＡ−Ａ線に沿う横断面図
【図２】従来技術を示す平面図およびＡ−Ａ線に沿う横断面図
【符号の説明】
１      待機用駐車室
２      駐車室
３      走行台車
４      走行路
５      入庫リフト
６      出庫リフト
７      入出庫口
２１    出庫予約手段
２２    伝送手段
２３    制御装置
２４    操作盤
【図１】
2004360418.tif 000003
【図２】
2004360418.tif 000004